(57)【特許請求の範囲】
【請求項１】
前面板、前記前面板に対向するように配置された後面板、及び、前記前面板の縁部と前記後面板の縁部とにそれぞれ接続された第一の側面板、第二の側面板を有する筒部と、
前記第二の側面板の上端に連設され、前記第一の側面板の上端に接続して前記筒部の上方開口を覆う蓋板と、
前記筒部の下方開口を覆う底板と、
前記前面板に一端部が形成され、他端部が前記第一の側面板の前記上端に形成された帯状のジッパー部と、
を備え、
前記第一の側面板の上端と前記蓋板との接続、又は、前記第二の側面板の上端と前記蓋板との接続を解除して前記ジッパー部を前記一端部から前記他端部に向かって分離し、前記前面板における前記ジッパー部よりも上方の部分を含む表示部の少なくとも一部を前方に突出させ、
前記ジッパー部の前記一端部は、前記前面板における前記第二の側面板と前記前面板との間の罫線から離間した位置に形成され、
前記前面板において前記ジッパー部は、前記第一の側面板と前記第二の側面板とが対向する対向方向に延び、
前記表示部には、上下方向に延びる一対の折り目線が前記対向方向に間隔を開けて形成され、
前記前面板における前記ジッパー部よりも下方の部分である下部領域には、前記ジッパー部の前記一端部よりも前記第二の側面板側に、前記ジッパー部を構成する上方の第一の易破断線よりも上方に突出する凸部が設けられ、
前記前面板における前記罫線と前記凸部との間には、前記凸部の上端よりも下方であって、上下方向において前記第一の易破断線に等しい位置か前記第一の易破断線よりも下方に配置された第二の易破断線又は予破断線が形成されていることを特徴とする包装箱。
【請求項２】
前記ジッパー部の前記一端部には、前記前面板が半円状又はコ字状に連続的に切断された摘み部が設けられていることを特徴とする請求項１に記載の包装箱。
【請求項３】
前記ジッパー部は前記第一の側面板の上端に沿って延び、
前記ジッパー部の前記他端部は、前記第一の側面板と前記後面板との間の接続部まで延びていることを特徴とする請求項１又は２に記載の包装箱。
【発明の詳細な説明】
【技術分野】
【０００１】
本発明は、商品を収容して輸送に用いられるとともに、切り開くことで商品を陳列する際に用いられる包装箱に関する。
【背景技術】
【０００２】
従来、商品を収容して輸送に用いる包装箱を、単に輸送に用いるだけでなく、包装箱を切り開いて包装箱を所定の形状に変形させることで商品の陳列に用いることが行われている。
この種の包装箱として、例えば特許文献１から３に記載されたものが知られている。
【０００３】
包装箱は、前面板、後面板、側面板からなる角筒（筒部）と、この角筒の上部及び下部の開口をそれぞれ閉鎖する蓋及び底とからなる。前面板等には、切目線が設けられている。
箱状の形状で輸送された包装箱は、商店等おいて店員により収容した商品が外部から見えるように切り開かれる。具体的には、包装箱を切目線に沿って切断して展開すると、前面板の上側部分を含む表示部が前方に突出する。この表示部には、印刷等により商品に関する表示が施されている。前面板の上端にある天フラップを折り曲げて前面板の切欠きに差し込むと、表示部が前方に突出した状態が保持される。前方に突出した表示部により、消費者の注意を引くことができる。
【先行技術文献】
【特許文献】
【０００４】
【特許文献１】特許第４１２５０７０号公報
【特許文献２】特許第４４１６５６１号公報
【特許文献３】特許第４３２１９３１号公報
【発明の概要】
【発明が解決しようとする課題】
【０００５】
しかしながら、店員による商品の陳列作業は忙しいこともあり、包装箱を切り開く時に包装箱から表示部が誤って破り取られてしまったり、勢いよく切り開いた際に切目線の延長線上の側面板まで破れてしまうという紙破れの問題がある。
包装箱を切り開く時の紙破れは、発明者が新たに見出した課題である。
【０００６】
本発明は、このような問題点に鑑みてなされたものであって、切り開く時に表示部が破り取られてしまうのを防止した包装箱を提供することを目的とする。
【課題を解決するための手段】
【０００７】
上記課題を解決するために、この発明は以下の手段を提案している。
本発明の包装箱は、前面板、前記前面板に対向するように配置された後面板、及び、前記前面板の縁部と前記後面板の縁部とにそれぞれ接続された第一の側面板、第二の側面板を有する筒部と、前記第二の側面板の上端に連設され、前記第一の側面板の上端に接続して前記筒部の上方開口を覆う蓋板と、前記筒部の下方開口を覆う底板と、前記前面板に一端部が形成され、他端部が前記第一の側面板の前記上端に形成された帯状のジッパー部と、を備え、前記第一の側面板の上端と前記蓋板との接続、又は、前記第二の側面板の上端と前記蓋板との接続を解除して前記ジッパー部を前記一端部から前記他端部に向かって分離し、前記前面板における前記ジッパー部よりも上方の部分を含む表示部の少なくとも一部を前方に突出させ、前記ジッパー部の前記一端部は、前記前面板における前記第二の側面板と前記前面板との間の罫線から離間した位置に形成され、前記前面板において前記ジッパー部は、前記第一の側面板と前記第二の側面板とが対向する対向方向に延び、前記表示部には、上下方向に延びる一対の折り目線が前記対向方向に間隔を開けて形成され、前記前面板における前記ジッパー部よりも下方の部分である下部領域には、前記ジッパー部の前記一端部よりも前記第二の側面板側に、前記ジッパー部を構成する上方の第一の易破断線よりも上方に突出する凸部が設けられ、前記前面板における前記罫線と前記凸部との間には、前記凸部の上端よりも下方であって、上下方向において前記第一の易破断線に等しい位置か前記第一の易破断線よりも下方に配置された第二の易破断線又は予破断線が形成されていることを特徴としている。
【０００８】
また、上記の包装箱において、前記ジッパー部の前記一端部には、前記前面板が半円状又はコ字状に連続的に切断された摘み部が設けられていることがより好ましい。
【０００９】
また、上記の包装箱において、前記ジッパー部は前記第一の側面板の上端に沿って延び、前記ジッパー部の前記他端部は、前記第一の側面板と前記後面板との間の接続部まで延びていることがより好ましい。
【発明の効果】
【００１０】
本発明の包装箱によれば、切り開く時に表示部が破り取られてしまうのを防止することができる。
【図面の簡単な説明】
【００１１】
【図１】本発明の第１実施形態の包装箱を切り開く前の斜視図である。
【図２】同包装箱を組み立てる前のブランクの平面図である。
【図３】切り開いて展開状態にした同包装箱の斜視図である。
【図４】本発明の第２実施形態の包装箱を切り開く前の斜視図である。
【図５】同包装箱を組み立てる前のブランクの平面図である。
【図６】図５中の要部拡大図である。
【図７】切り開いて展開状態にした同包装箱の斜視図である。
【図８】本発明の第３施形態の包装箱を切り開く前の斜視図である。
【図９】同包装箱を組み立てる前のブランクの平面図である。
【発明を実施するための形態】
【００１２】
（第１実施形態）
以下、本発明に係る包装箱の第１実施形態を、図１から図３を参照しながら説明する。
図１に示すように、本実施形態の包装箱１は、前面板１１、前面板１１に対向するように配置された後面板１２、及び、前面板１１の縁部と後面板１２の縁部とにそれぞれ接続された第一の側面板１３、第二の側面板１４を有する筒部１０と、筒部１０の上方開口を覆う蓋板２０と、筒部１０の下方開口を覆う底板２５と、前面板１１に一端部３０ａが形成され、他端部３０ｂが第一の側面板１３の上端１３ａに形成された帯状のジッパー部３０と、を備えている。
以下では、まず包装箱１を組み立てる前の図２に示すブランク１Ａについて説明する。
【００１３】
図２に示すように、ブランク１Ａは、例えば未晒クラフト紙、晒クラフト紙、白板紙等のロール状に形成された各種の板紙を、罫線加工及び打抜き加工して形成したものである。
矩形状に形成された前面板１１の第一の辺１１ａに沿う第一の方向Ｖの一方側には、第一の側面板１３、後面板１２がこの順で連設されている。前面板１１の第一の方向Ｖの他方側には、第二の側面板１４が連設されている。前面板１１と第一の側面板１３、第一の側面板１３と後面板１２、前面板１１と第二の側面板１４との間には、一部の符号を省略した罫線（折り目）が設けられている。罫線は、板紙の厚さを板紙の他の部分よりも薄くして折れやすくしたものである。これらの罫線は、前面板１１の第一の辺１１ａに連なる第二の辺１１ｂに沿う第二の方向Ｗに延びている。
【００１４】
前面板１１の第二の方向Ｗの一方側には、フラップ４０が連設されている。前面板１１の第二の方向Ｗの他方側には、底板片２６が連設されている。前面板１１とフラップ４０、前面板１１と底板片２６の間には、符号を省略した罫線が設けられている。これらの罫線は、第一の方向Ｖに延びている。
【００１５】
ジッパー部３０は、前面板１１に第一の方向Ｖに沿って形成されたジッパー片３１と、第一の側面板１３に形成されたジッパー片３２、３３とを有している。
ジッパー部３０の一端部３０ａ、すなわちジッパー片３１の第一の方向Ｖの他方側の端部は、第二の側面板１４と前面板１１との間の罫線１５上に形成されている。ジッパー部３０の一端部３０ａには、前面板１１がコ字状に連続的に切断されることで形成された摘み部３４が設けられている。摘み部３４のコ字状の切断線は、第一の方向Ｖの一方側が開口している。摘み部３４には、例えば「ＯＰＥＮ」や、「こちら側から開封する」等の文字を印刷等により記載することが好ましい。このように構成することで、ジッパー部３０を摘み部３４から他端部３０ｂに向かって分離するように店員に促すことができる。
ジッパー片３２は、ジッパー片３１の第一の方向Ｖの一方側の端部に一端部が連なるとともに、後面板１２に近づくにしたがって上方開口を形成する第一の側面板１３の上端１３ａに近づくように傾斜している。ジッパー片３２の他端部は、第一の側面板１３の中央部に達している。
【００１６】
ジッパー片３３は、ジッパー片３２の他端部から第二の方向Ｗに沿って延びている。ジッパー片３３の端部であるジッパー部３０の他端部３０ｂは、第一の側面板１３の上端１３ａ上に形成されている。
ジッパー部３０は、ブランク１Ａを組み立てた後で上方となる第二の方向Ｗの一方側の易破断線（第一の易破断線）３５と、下方となる第二の方向Ｗの他方側の易破断線３６と、摘み部３４との間の領域として規定される。すなわち、摘み部３４、及び易破断線３５、３６は、ジッパー部を構成している。この例では、易破断線３５と易破断線３６との距離は、例えば５ｍｍから１５ｍｍ程度の間の一定値である。
易破断線３５、３６は、前面板１１が断続的に切断されて（前面板１１が切断されている部分と切断されていない部分とを交互に配置して）形成されたものであり、前面板１１の他の部分に比べて前面板１１を破断させやすくなっている。易破断線３５、３６は、ジッパー部３０の他端部３０ｂ側から一端部３０ａ側に向かって破断させたときよりも、一端部３０ａ側から他端部３０ｂ側に向かって破断させたときの方が容易に破断できるように、その形状が決められていることが好ましい。
【００１７】
前面板１１における摘み部３４及びジッパー片３１よりも第二の方向Ｗの一方側の部分である上部領域１１ｃ、フラップ４０、及び、第一の側面板１３におけるジッパー片３２よりも第二の方向Ｗの一方側の部分で、表示部１６を構成する。上部領域１１ｃ及びフラップ４０における第一の方向Ｖの中央部には、第二の方向Ｗに延びる折り目線１６ａが形成されている。折り目線１６ａは、罫線と同様に構成したものである。折り目線１６ａは、上部領域１１ｃ及びフラップ４０の全体にわたり形成されている。
表示部１６における折り目線１６ａよりも第一の方向Ｖの一方側、第一の方向Ｖの他方側には、印刷等により表示Ｐ１、Ｐ２が設けられている。表示Ｐ１、Ｐ２には、例えば包装箱１内に収容される商品に関する図、写真、文字等が示される。
【００１８】
前面板１１における摘み部３４及びジッパー片３１よりも第二の方向Ｗの他方側（下方）の部分である下部領域１１ｆには、第二の方向Ｗの他方側に向かって凸となるように湾曲した易破断線１１ｄが形成されている。易破断線１１ｄの両端部は、ジッパー部３０の易破断線３６に連なっている。前面板１１の易破断線１１ｄ及び易破断線３６に囲われた領域が、切取り領域１１ｅとなる。
【００１９】
第一の側面板１３のジッパー部３０よりも第一の方向Ｖの一方側の部分には、印刷等により表示Ｐ３が設けられている。
第一の側面板１３の第二の方向Ｗの他方側には、底板片２７が連設されている。第一の側面板１３と底板片２７との間には、符号を省略した罫線が設けられている。この罫線は、第一の方向Ｖに延びている。
底板片２７には、切欠き２７ａが形成されている。底板片２７の第一の側面板１３及び前面板１１にそれぞれ連なる隅部から斜めに、折り目線２７ｂが形成されている。
【００２０】
後面板１２の中央部には、矩形状の易破断線１２ａが形成されている。後面板１２の易破断線１２ａに囲われた領域が、切取り領域１２ｂとなる。後面板１２の切取り領域１２ｂよりも第二の方向Ｗの一方側の部分には、スリット１２ｃが設けられている。スリット１２ｃは、後面板１２を連続的に切断した切断線が、第二の方向Ｗの一方側に向かって凸となるように湾曲して構成されている。
【００２１】
後面板１２の第二の方向Ｗの一方側には、蓋板補助２１が連設されている。後面板１２の第二の方向Ｗの他方側には、底板片２８が連設されている。後面板１２と蓋板補助２１、後面板１２と底板片２８との間には、符号を省略した罫線が設けられている。これらの罫線は、第一の方向Ｖに延びている。
蓋板補助２１の中央部には、第二の方向Ｗの他方側に向かって凸となるように湾曲した易破断線２１ａが形成されている。蓋板補助２１には、易破断線２１ａの端部から第一の方向Ｖに沿って後面板１２の縁部まで延びる折り目線２１ｂが一対形成されている。
蓋板補助２１における易破断線２１ａ及び折り目線２１ｂよりも第二の方向Ｗの一方側の部分には、印刷等により表示Ｐ４が設けられている。表示Ｐ３、Ｐ４は、表示Ｐ１、Ｐ２と同様に構成される。
これらの表示Ｐ１、Ｐ２、Ｐ３、Ｐ４は、後述するように包装箱１を展開状態にしたときに、ＰＯＰ（Ｐｏｉｎｔ  Ｏｆ  Ｐｕｒｃｈａｓｅ  ａｄｖｅｒｔｉｓｉｎｇ）の役割を果たす。
蓋板補助２１の第二の方向Ｗの一方側には、フラップ４１が連設されている。
【００２２】
第二の側面板１４には、スリット１４ａが設けられている。スリット１４ａは、第二の側面板１４を連続的に切断した切断線が、四分円の円弧状に湾曲して構成されている。
第二の側面板１４の第二の方向Ｗの一方側には、前述の蓋板２０が連設されている。すなわち、蓋板２０は第二の側面板１４の上端に接続されている。第二の側面板１４の第二の方向Ｗの他方側には、底板片２９が連設されている。これら底板片２６、２７、２８、２９で、底板２５を構成する。
第二の側面板１４の第一の方向Ｖの他方側には、フラップ４２が連設されている。
第二の側面板１４と蓋板２０との間には、易破断線４３が設けられている。易破断線４３は、第一の方向Ｖに延びている。
第二の側面板１４と底板片２９、第二の側面板１４とフラップ４２との間には、符号を省略した罫線が設けられている。これらの罫線は、第一の方向Ｖ、第二の方向Ｗにそれぞれ延びている。
【００２３】
蓋板２０の中央部には、印刷等により表示Ｐ６が設けられている。表示Ｐ６には、例えば包装箱１を切り開く時の手順や注意書きが、文章やイラストを用いて示されている。
底板片２９には、切欠き２９ａが形成されている。底板片２９の第二の側面板１４及びフラップ４２にそれぞれ連なる隅部から斜めに、折り目線２９ｂが形成されている。
蓋板２０の第二の方向Ｗの一方側には、フラップ４４が連設されている。蓋板２０とフラップ４４との間には、符号を省略した罫線が設けられている。この罫線は第一の方向Ｖに延びている。
【００２４】
以上のように構成されたブランク１Ａを組み立てて箱状態の包装箱１とするのは、以下のような手順となる。
まず、フラップ４２、第二の側面板１４、前面板１１、第一の側面板１３、及び後面板１２を表示Ｐ１、Ｐ２、Ｐ３が外側となるように罫線で折り曲げ、角筒状にする。フラップ４２を後面板１２の第一の方向Ｖの一方側の縁部に接着し、第二の側面板１４、前面板１１、第一の側面板１３、及び後面板１２で筒部１０を構成する。
底板片２６、２７、２８、２９を罫線で内側に折り曲げ、筒部１０を平坦な形状に潰しておく。底板片２７、２９を折り目線２７ｂ、２９ｂで折り曲げ、底板片２６と底板片２７、底板片２８と底板片２９をそれぞれ接着する。筒部１０を角筒状にしつつ、底板片２７の切欠き２７ａと底板片２９の切欠き２９ａとを係合させて、角筒状の筒部１０の形状を保持する。
【００２５】
筒部１０内に図示しない商品を収容する。蓋板補助２１、フラップ４０を罫線で内側に折り曲げる。蓋板２０、フラップ４４を易破断線４３、罫線で折り曲げる。蓋板補助２１及びフラップ４０と第一の側面板１３との間にフラップ４４を差し込むことで、第一の側面板１３の上端１３ａに蓋板２０を接続する。
こうして、ブランク１Ａを図１に示す箱状態の包装箱１に組み立てる。商品を包装箱１に収容した状態で商店まで輸送する。
【００２６】
商店では、店員はまず包装箱１の蓋板２０に印刷された表示Ｐ６を読み、その手順に従って包装箱１を切り開き展開状態にする。
具体的には、まず、包装箱１を蓋板２０が上方、底板２５が下方となるように、すなわち、筒部１０の軸線が上下方向Ｚに平行になるように配置する。このとき、第一の側面板と第二の側面板とが対向する対向方向Ｘは、水平面に平行な方向となる。前面板１１において、ジッパー部３０のジッパー片３１は対向方向Ｘに延びている。すなわち、ジッパー片３１が形成された範囲の易破断線３５、３６は、対向方向Ｘに延びている。
【００２７】
蓋板補助２１及びフラップ４０と第一の側面板１３との間からフラップ４４を引き抜いて、第一の側面板１３の上端１３ａと蓋板２０との接続を解除する。第二の側面板１４に対して蓋板２０を引っ張ることで易破断線４３を破り、第二の側面板１４の上端と蓋板２０との接続を解除する。こうして、図３に示すように包装箱１から蓋板２０を除去する。除去した蓋板２０は、包装箱１を展開状態にした後では不要になる部材である。
摘み部３４を摘まみ、ジッパー部３０を一端部３０ａから他端部３０ｂに向かって前面板１１や第一の側面板１３から分離する。摘み部３４の周囲の前面板１１は連続的に切断されているため、前面板１１から摘み部３４を前方に容易に突出させる（めくる）ことができ、摘み部３４を摘まみやすい。摘み部３４が第二の側面板１４と前面板１１との間の罫線１５上に形成されていることによっても、前面板１１から摘み部３４を前方にめくりやすくなり、摘み部３４を摘まみやすい。
【００２８】
ジッパー部３０を分離する一端部３０ａから他端部３０ｂへの向きが第二の側面板１４と前面板１１との間の罫線１５に向かわず、罫線１５から離間する向きとなっている。このため、ジッパー部３０を勢いよく分離しても罫線１５が破かれず、紙破れの問題が生じない。
ジッパー部３０における他端部３０ｂよりも先には蓋板２０が無いため、ジッパー部３０を分離するときに蓋板２０を誤って破損してしまうことがない。
【００２９】
罫線で折り曲げることで上部領域１１ｃとフラップ４０とが同一平面上に配置されるようにする。表示部１６を折り目線１６ａで折り曲げて折り返す。表示部１６の折り目線１６ａを前方に突出させた状態で第二の側面板１４のスリット１４ａに表示部１６の端部を差し込む。これにより、第二の側面板１４に表示部１６を係合させ、下部領域１１ｆよりも表示部１６が前方に突出した状態を保持する。
表示部１６を折り目線１６ａで折り曲げたときに、折り曲げた表示部１６の対向方向Ｘの一方側、他方側にそれぞれ表示Ｐ１、Ｐ２が配置される。そして、これらの表示Ｐ１、Ｐ２は下部領域１１ｆよりも前方に突出している。このため、陳列棚等に配置された包装箱１に対して対向方向Ｘから近づく消費者が、表示Ｐ１、Ｐ２を容易に視認することができる。
【００３０】
蓋板補助２１の易破断線２１ａを破る。蓋板補助２１を折り目線２１ｂで折り返し、蓋板補助２１の折り目線２１ｂ側を上方に突出させる。後面板１２のスリット１２ｃに蓋板補助２１に連設されたフラップ４１を差し込み、折り返された蓋板補助２１が上方に突出した状態を保持する。蓋板補助２１に印刷された表示Ｐ４は、包装箱１の前方から視認できる。
前面板１１の易破断線１１ｄを破り、前面板１１から切取り領域１１ｅを取り除く。後面板１２の易破断線１２ａを破り、後面板１２から切取り領域１２ｂを取り除く。
こうして展開状態にした包装箱１を商品を収容した状態で陳列棚等に配置する。
【００３１】
以上説明したように、本実施形態の包装箱１によれば、第一の側面板１３の上端１３ａ及び第二の側面板１４の上端と蓋板２０との接続を解除して蓋板２０を除去してから、ジッパー部３０を一端部３０ａから他端部３０ｂに向かって分離する。ジッパー部３０を分離する向きが第二の側面板１４と表示部１６との間の罫線１５に向かわないため、箱状態の包装箱１を切り開く時に表示部１６が第二の側面板１４から破り取られてしまうのを防止することができる。
【００３２】
摘み部３４では前面板１１がコ字状に連続的に切断されているため、摘み部３４を容易に摘まむことができる。
摘み部３４が第二の側面板１４と前面板１１との間の罫線１５上に形成されていることで、前面板１１から摘み部３４を前方にめくりやすく、摘み部３４を摘まみやすい。
【００３３】
（第２実施形態）
次に、本発明の第２実施形態について図４から図７を参照しながら説明するが、前記実施形態と同一の部位には同一の符号を付してその説明は省略し、異なる点についてのみ説明する。
図４に示すように、本実施形態の包装箱２は、第１実施形態の包装箱１に対して、前面板１１に凸部５０が設けられているとともに、表示部１６に一対の折り目線１６ｂ、１６ｃが形成されている。以下では、包装箱２の構成を、包装箱２を組み立てる前の図５に示すブランク２Ａを用いて説明する。
【００３４】
ブランク２Ａでは、ジッパー部３０の一端部３０ａ、すなわち摘み部３４は、前面板１１における第二の側面板１４と前面板１１との間の罫線１５から離間した位置に形成されている。
図６に示すように、前面板１１の下部領域１１ｆにおけるジッパー部３０の一端部３０ａよりも第二の側面板１４側には、ジッパー片３１が形成された範囲の易破断線３５よりも第二の方向Ｗの一方側、すなわち上方に突出する凸部５０が設けられている。すなわち、凸部５０における凸部５０が突出する方向の先端の辺（凸部５０の上端の辺）である上辺５０ａの方が、易破断線３５よりも第二の方向Ｗの一方側にある。
この例では、凸部５０は、前面板１１がコ字状に連続的に切断されることで形成されている。凸部５０のコ字状の切断線は、第二の方向Ｗの他方側が開口している。凸部５０は摘み部３４に連なっていて、前面板１１が切断された部分が凸部５０と摘み部３４とで連続している。
【００３５】
前面板１１における罫線１５と凸部５０との間には、第一の方向Ｖ（図４における対向方向Ｘ）に延びる予破断線５１が形成されている。予破断線５１は、前面板１１を連続的に切断することで形成されている。予破断線５１の両端部は、凸部５０、罫線１５に連なっている。すなわち、前面板１１が切断された部分が予破断線５１と凸部５０とで連続している。予破断線５１は、第二の方向Ｗ（図４における上下方向Ｚ）において易破断線３５に等しい位置に配置されている。言い替えれば、予破断線５１は、凸部５０の上辺５０ａよりも第二の方向Ｗの他方側（下方）であって、易破断線３５と同一直線上に配置されている。
【００３６】
表示部１６、すなわち前面板１１の上部領域１１ｃ及びフラップ４０には、第二の方向Ｗに延びる一対の折り目線１６ｂ、１６ｃが第一の方向Ｖに間隔を開けて形成されている。表示部１６における折り目線１６ｂと折り目線１６ｃとの間の部分が、帯状領域１６ｄとなる。帯状領域１６ｄには、印刷等により表示Ｐ８が設けられている。
前述の表示Ｐ１は、表示部１６における帯状領域１６ｄよりも第一の方向Ｖの一方側に設けられている。表示Ｐ２は、表示部１６における帯状領域１６ｄよりも第一の方向Ｖの他方側に設けられている。
【００３７】
この例では、図５に示すように、第二の側面板１４にスリット１４ａに代えてスリット１４ｂが設けられている。スリット１４ｂは、第一の方向Ｖの一方側に向かって凸となるように湾曲している。
【００３８】
以上のように構成されたブランク２Ａは、第１実施形態のブランク１Ａと同様に組み立てられて箱状態の包装箱２となる。店員は、搬送された箱状態の包装箱２を、包装箱１と同様に配置し、蓋板２０を除去する。摘み部３４を摘まみ、ジッパー部３０を一端部３０ａから他端部３０ｂに向かって分離する。
上部領域１１ｃとフラップ４０とが同一平面上に配置されるようにした後で、図７に示すように表示部１６を折り目線１６ｂ、１６ｃで折り曲げて折り返す。
表示部１６の帯状領域１６ｄを、前方に突出させるとともに対向方向Ｘにほぼ平行に配置する。第二の側面板１４と凸部５０との間に折り返した表示部１６を配置し、凸部５０に表示部１６を係止させる。第二の側面板１４のスリット１４ｂに表示部１６の端部を差し込んで第二の側面板１４に表示部１６を係合させ、この状態を保持する。
折り曲げられた表示部１６は、自身の弾性力により対向方向Ｘに広がろうとするが、第二の側面板１４及び凸部５０により表示部１６が広がるのが防止される。
【００３９】
第二の方向Ｗにおいて予破断線５１は易破断線３５に等しい位置に配置されているため、下部領域１１ｆの上部の予破断線５１と表示部１６の下部の易破断線３５との間に摩擦が生じる。このため、予破断線５１から表示部１６がズレにくくなる。
展開状態にした包装箱２を陳列棚等に配置すると、陳列棚に向かい合うように立った消費者の正面に表示部１６の帯状領域１６ｄ（フェイス）が配置される。このため、消費者が表示Ｐ８を容易に視認することができる。
【００４０】
以上説明したように、本実施形態の包装箱２によれば、切り開く時に表示部１６が破り取られてしまうのを防止することができる。
さらに、表示部１６に一対の折り目線１６ｂ、１６ｃが形成されるとともに、前面板１１の下部領域１１ｆに凸部５０が設けられている。このため、折り目線１６ｂ、１６ｃで折り曲げた表示部１６の帯状領域１６ｄを消費者に向くように配置することができる。折り曲げた表示部１６の形状を、第二の側面板１４のスリット１４ｂだけでなく、第二の側面板１４及び凸部５０でも保持することができる。
【００４１】
なお、本実施形態では、凸部５０は前面板１１を連続的に切断することで形成されているとしたが、凸部は前面板１１を断続的に切断することで形成されているとしてもよい。
予破断線は、図６に位置Ｌとして示すように、ジッパー片３１が形成された範囲の易破断線３５よりも第二の方向Ｗの他方側（下方）に配置されてもよい。
前面板１１に予破断線５１に替えて第二の易破断線が形成されてもよい。第二の易破断線は、前述の易破断線３５と同様に構成した線である。
【００４２】
（第３実施形態）
次に、本発明の第３実施形態について図８及び図９を参照しながら説明するが、前記実施形態と同一の部位には同一の符号を付してその説明は省略し、異なる点についてのみ説明する。
図８に示すように、本実施形態の包装箱３は、第１実施形態の包装箱１に対して、蓋板２０が連設される位置、及びジッパー部５５の形状が異なる。以下では、包装箱３の構成を、包装箱３を組み立てる前の図９に示すブランク３Ａを用いて説明する。
【００４３】
ブランク３Ａでは、蓋板２０は、第一の側面板１３の第二の方向Ｗの一方側に連設されている。
ジッパー部５５は、前述のジッパー片３１、３２、３３と、第一の側面板１３の上端１３ａに沿って延びるジッパー片５６を有している。
ジッパー部５５の他端部５５ｂであるジッパー片５６の端部は、第一の側面板１３と後面板１２との間の接続部まで延びている。第一の側面板１３と蓋板２０との間のジッパー片５６以外の部分には、易破断線５８が設けられている。
【００４４】
以上のように構成されたブランク３Ａは、第１実施形態のブランク１Ａと同様に組み立てられて図８に示す箱状態の包装箱３となる。この際に、蓋板補助２１及びフラップ４０と第二の側面板１４との間にフラップ４４を差し込むことで、第二の側面板１４の上端に蓋板２０を接続する。
箱状態の包装箱３を展開状態にするときには、摘み部３４を摘まみ、ジッパー部５５を一端部５５ａから他端部５５ｂに向かって前面板１１、第一の側面板１３、及び蓋板２０から分離する。ジッパー部５５を分離することで、蓋板２０の一部が第一の側面板１３から分離する。なお、ジッパー部５５を分離する際に誤って蓋板２０が破れても、蓋板２０は包装箱３を展開状態にした後では不要になる部材なので、問題無い。
易破断線５８を破り、筒部１０から蓋板２０を除去する。
これ以降の包装箱３を展開状態にするための手順は、第１実施形態の包装箱１と同様である。
【００４５】
以上説明したように、本実施形態の包装箱３によれば、切り開く時に表示部１６が破り取られてしまうのを防止することができる。
さらに、包装箱３がジッパー部５５を有するため、ジッパー部５５を分離することで、第一の側面板１３から蓋板２０の一部が分離される。これにより、筒部１０から蓋板２０を除去する作業がほぼワンアクションで行えて、容易になる。
【００４６】
以上、本発明の第１実施形態から第３実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態から第３実施形態では、摘み部３４はコ字状であるとした。しかし、摘み部は前面板１１が半円状等に連続的に切断されて構成されてもよい。
ジッパー部の一端部ａに摘み部３４が設けられなくてもよい。ジッパー部の一端部を刃物等を用いて連続的に切断することで、ジッパー部の一端部を容易に摘まむことができるからである。
【符号の説明】
【００４７】
１、２、３  包装箱
１０  筒部
１１  前面板
１２  後面板
１３  第一の側面板
１３ａ  上端
１４  第二の側面板
１５  罫線
１６  表示部
１６ｂ、１６ｃ  折り目線
２０  蓋板
２５  底板
３０、５５  ジッパー部
３０ａ、５５ａ  一端部
３０ｂ、５５ｂ  他端部
３４  摘み部
３５  易破断線（第一の易破断線）
５０  凸部
５１  予破断線
Ｘ    対向方向
Ｚ    上下方向
【図１】
0006519155.tif 000002
【図２】
0006519155.tif 000003
【図３】
0006519155.tif 000004
【図４】
0006519155.tif 000005
【図５】
0006519155.tif 000006
【図６】
0006519155.tif 000007
【図７】
0006519155.tif 000008
【図８】
0006519155.tif 000009
【図９】
0006519155.tif 000010